(57)【要約】【課題】スピーカの接続の良否を簡単にチェックできること。【解決手段】音声信号出力部４にプルアップ回路８が接続され、プルアップ回路８は、電圧Ｖと音声信号出力部４との間に接続されたプルアップ抵抗ｒを有する。音声信号出力部４に流れる電圧の大きさを比較するコンパレータ９が設けられる。コンパレータ９は、入力側の正極にはチェック線９Ａが接続される一方、負極には基準電圧線９Ｂが接続され、出力部にマイクロプロセッサ１０が接続される。マイクロプロセッサ１０は、コンパレータ９からのＬ出力若しくはＨ出力に基づいてスピーカ７の接続の良否を判定する。【選択図】　図１
2004096696.tif 000002
【特許請求の範囲】
【請求項１】
音声信号を増幅するオーディオアンプと、該オーディオアンプの音声信号出力部の接続端子に接続されるスピーカとを備える音声再生装置において、
前記音声信号出力部に、該音声信号出力部に流れる電圧の大きさに基づいてスピーカの接続の良否を判定する接続認識回路を備えることを特徴とする音声再生装置。
【請求項２】
請求項１記載の音声再生装置において、
前記接続認識回路は、前記音声信号出力部に接続されたプルアップ回路と、前記音声信号出力部を流れる電圧の大小を比較するコンパレータと、該コンパレータの比較結果に基づいてスピーカの接続の良否を判定する制御部とを備えることを特徴とする音声再生装置。
【請求項３】
請求項２記載の音声再生装置において、
前記制御部は、判定結果を表示する表示部を備えていることを特徴とする音声再生装置。
【請求項４】
請求項３記載の音声再生装置において、
前記制御部は、各接続端子毎にスピーカがそれぞれ接続されたとき、前記表示部に対しそれぞれのスピーカ毎に独立的に接続の良否を表示させることを特徴とする音声再生装置。
【発明の詳細な説明】
【０００１】
【発明の属する技術分野】
本発明は、音声再生装置に係り、特に、オーディオアンプの音声信号出力部に複数のスピーカを接続するのに好適な音声再生装置に関する。
【０００２】
【従来の技術】
例えば、催事会場等では、音声再生装置がセッティングされて使用されている。特に大きな催事会場にあっては、複数台のスピーカがセッティングして使用されている。このような催事会場等でのスピーカは、予め、音声信号出力側の接続端子に接続された後、オーディオアンプを駆動したときに音が出るか出ないかを耳で直接聞くことで確認するようになっている。
【０００３】
【発明が解決しようとする課題】
上記のように、催事会場等のようにスピーカをセッティングして使用するとき、音声信号出力側の接続端子に接続されたスピーカをそれぞれ駆動し、スピーカから音が出るか出ないか耳で確認することで、スピーカの接続の良否をチェックしなければならないのでそれだけ不便であった。しかも、複数台のスピーカの各々をいちいちチェックしなければならず、手間がいっそうかかるという問題もあった。
【０００４】
本発明は、上記従来技術の問題点に鑑み、その目的とするところは、スピーカの接続の良否を簡単にチェックすることができ、しかも複数台のスピーカの各々にも対処できる音声再生装置を提供することにある。
【０００５】
【課題を解決するための手段】
上記課題を解決するために本発明においては、以下の手段を採用した。
請求項１に係る発明は、音声信号を増幅するオーディオアンプと、該オーディオアンプの音声信号出力部の接続端子に接続されるスピーカとを備える音声再生装置において、前記音声信号出力部に、該音声信号出力部に流れる電圧の大きさに基づいてスピーカの接続の良否を判定する接続認識回路を備えることを特徴とする。
この発明によれば、接続認識回路が、音声信号出力部に流れる電圧の大きさに基づいてスピーカの接続の良否を判定するので、スピーカから直接音を出して耳で確認しなくとも、スピーカ接続の良否を良好に確認できる。
【０００６】
請求項２に係る発明は、請求項１記載の音声再生装置において、前記接続認識回路は、前記音声信号出力部に接続されたプルアップ回路と、前記音声信号出力部を流れる電圧の大小を比較するコンパレータと、該コンパレータの比較結果に基づいてスピーカの接続の良否を判定する制御部とを備えることを特徴とする。この発明によれば、接続認識回路が前記プルアップ回路と前記コンパレータと前記制御部とを備えているので、音声信号出力部に流れる電圧値の大きさに基づいてスピーカの接続の良否を判定することができ、スピーカから直接音を出して耳で確認しなくとも、スピーカ接続の良否を良好に確認できる。
【０００７】
請求項３に係る発明は、請求項２記載の音声再生装置において、前記制御部は、判定結果を表示する表示部を備えていることを特徴とする。
この発明によれば、表示部によって判定結果が表示され、目で確認できるので、接続の良否の確認を良好かつ速やかに行うことができる。
【０００８】
請求項４に係る発明は、請求項２又は３記載の音声再生装置において、前記制御部は、各接続端子毎にスピーカがそれぞれ接続されたとき、前記表示部に対しそれぞれのスピーカ毎に独立的に接続の良否を表示させることを特徴とする。
この発明によれば、制御部が表示部に対し、接続されている複数のスピーカを独立的に表示させるので、接続の良否を一括的に確認することができ、多くのスピーカを接続する場合には特に有益となる。
【０００９】
【発明の実施の形態】
以下、本発明の実施の形態を、図面に基づいて説明する。図１は本発明による第１の実施の形態に係る音声再生装置を示す全体図である。
図１に示す音声再生装置は、入力された音声信号１が電子ボリューム２により分圧され、その分圧出力がオーディオアンプ３で増幅される。オーディオアンプ３で増幅された音声信号は、その出力側に設けられたコンデンサ５によって直流（ＤＣ）成分が除去された後、音声信号出力部４を経て出力され、該音声信号出力部４の末端側の接続端子６に接続されたスピーカ７から音として出力される。
【００１０】
この実施形態では、音声信号出力部４にプルアップ回路８が接続されている。プルアップ回路８は、電圧Ｖと音声信号出力部４との間に接続されたプルアップ抵抗ｒを有している。
また、音声信号出力部４に流れる電圧の大きさを比較するコンパレータ９が設けられている。コンパレータ９は、その入力側の正極にはチェック線９Ａが接続される一方、負極には基準電圧線９Ｂが接続され、その出力部には制御部としてのマイクロプロセッサ（ＭＰＵ）１０が接続されている。
【００１１】
チェック線９Ａは、一端が音声信号出力部４の途中位置に接続されると共に、他端がコンパレータ９の入力側の正極に接続されている。基準電圧線９Ｂは、一端がプルアップ回路８側に設けられている第１抵抗ｒ１と第２抵抗ｒ２との間に接続されると共に、他端がコンパレータ９の入力側の負極に接続され、基準電圧を負極に入力する。第１抵抗ｒ１はプルアップ抵抗ｒと並列に接続され、第２抵抗ｒ２は第１抵抗ｒ１と直列に接続して接地されているコンパレータ９は、その正極側に入力される電圧と、負極側に入力される基準電圧との大きさを比較して、Ｌ出力若しくはＨ出力する。
【００１２】
マイクロプロセッサ１０は、コンパレータ９からのＬ出力若しくはＨ出力に基づいてスピーカ７の接続の良否を判定、つまり、Ｌ出力されるとスピーカ７が接続されていることを判定し、Ｈ出力されるとスピーカ７が接続されていないことを判定するようになっている。
【００１３】
その際、マイクロプロセッサ１０は、コンパレータ９からの比較結果に基づいて判定すると、その旨を表示する表示部１１を備えている。即ち、表示部１１は、マイクロプロセッサ１０によってスピーカ７が接続されていると判定されると、図１のようにランプ１２が点灯することによって表示し、スピーカ７が接続されていないと判定されると、ランプ１２が消灯したままとなることによって表示するようにしている。
【００１４】
即ち、この実施形態においては、プルアップ回路８と、コンパレータ９と、マイクロプロセッサ１０とを備えた接続認識回路１３により、スピーカ７の接続の良否をチェックできるように構成されている。
【００１５】
実施形態の音声再生装置は、上記のように、オーディオアンプ３の音声信号出力部４に、プルアップ回路８とコンパレータ９とマイクロプロセッサ１０とを備えた接続認識回路１３が接続されているので、装置の電源がオンした状態にあるとき、音声信号１が入力されると、その音声信号１が電子ボリューム２によって分圧されると共に、その分圧出力がオーディオアンプ３によって増幅され、増幅された音声信号がコンデンサ５により直流成分が除去されて音声信号出力部４に送出されることとなる。
【００１６】
このとき、接続端子６にスピーカ７が接続されていないと、プルアップ回路８の電圧Ｖがプルアップ抵抗ｒ及びチェック線９Ａを経てコンパレータ９の正極に例えば５Ｖ程度で入力されると共に、コンパレータ９の負極に例えば１Ｖ程度の基準電圧が入力されることから、コンパレータ９がＨ出力する。
マイクロプロセッサ１０は、コンパレータ９のＨ出力に基づき、スピーカ７が接続されていないことを判定し、その旨を表示部１１に表示する。これにより、表示部１１は、ランプ１２が消灯した状態を維持することで、接続されていないことを表示する。
【００１７】
一方、コンパレータ９の比較時、接続端子６にスピーカ７が接続されていると、プルアップ回路８の電圧Ｖが音声信号出力部４を介してスピーカ７を通過し、かつ接地されていることから、正極には、チェック線９Ａを経た微弱電圧（基準電圧より低い０．数Ｖ程度）が入力されると共に、コンパレータ９の負極には１Ｖ程度の基準電圧が入力されるので、コンパレータ９がＬ出力する。
マイクロプロセッサ１０は、コンパレータ９のＬ出力に基づき、スピーカ７が接続されていることを判定し、その旨を表示部１１に出力する。これにより、表示部１１はランプ１２を図１のように点灯する。
【００１８】
このように、オーディオアンプ３の音声信号出力部４に流れる電圧の大きさの変化を接続認識回路１３によって検出することで、接続端子６にスピーカ７が接続されているか否かを判定できるので、スピーカ７の接続の良否を目で簡単に認識することができ、接続の良否を確実にチェックすることができる。
【００１９】
しかも、音声信号出力部４に接続されたプルアップ回路８と、音声信号出力部４を流れる電圧の大きさを比較するコンパレータ９と、コンパレータ９からの比較結果に基づいて判定するマイクロプロセッサ１０とで接続認識回路１３が構成されているので、簡単かつ低コストで実現することができる。
【００２０】
また、スピーカ７が接続端子６に接続されているとき、マイクロプロセッサ１０が判定したとき、表示部１１のランプ１２が消灯したままであると、スピーカ７の接続が不良であったり、またスピーカ７自体が故障していることが確認できるので、接続線の断線やスピーカ故障等を特定することもできる。
【００２１】
このような接続認識回路１３は、催事会場等にてセットすべき音声再生装置のスピーカ７の接続の良否を認識させることができるばかりでなく、例えば、音声再生装置の組立工場等においてスピーカが接続されているか否かを検査する場合にも利用することができ、簡単な構成部品で良好な検査を行うことができる。
【００２２】
図２及び図３は本発明の第２の実施の形態に係る音声再生装置を示している。この実施形態では、図２に示すように、オーディオアンプ３から音声信号出力部４が複数引き出され、その引き出された音声信号出力部４の接続端子部６に複数台のスピーカ７がそれぞれ接続される場合に適用したものである。
【００２３】
即ち、図２では概略的にしか図示していないが、音声信号出力部４の各々に接続認識回路１３のプルアップ回路８とコンパレータ９とが各々接続されているものとする。そして、図３に示すように、コンパレータ９の各々の出力部がマイクロプロセッサ１０に接続され、マイクロプロセッサ１０がコンパレータ９の各々からの出力結果に基づいて判定することにより、その旨を表示部１１によって表示され、これにより、複数のスピーカ７の接続の良否を各スピーカ毎に独立的に判定するようになっている。
【００２４】
例えば、複数台のスピーカ７がそれぞれ接続されているとき、そのうち、表示部１１では１、２、４、５、６、８番目のランプ１２が点灯してあって、３番目のランプ１２ａと７番目のランプ１２ｂとが消灯したままであると、３番目と７番目に相当する接続端子６にスピーカが接続されていないことか分かるようになっている。そのため、表示部１１には、音声信号回路４の接続端子６に接続されているそれぞれのスピーカ毎に番号順に表示させるようにすることが好ましい。
【００２５】
従って、この実施形態によれば、マイクロプロセッサ１０が表示部１１により、接続されている複数のスピーカを独立的に表示させるように構成したので、複数のスピーカの接続の良否を一括的に確認することができ、多くのスピーカを接続する場合には特に有益となる。
【００２６】
図４は本発明の第３の実施の形態に係る音声再生装置を示している。
これまで前述した各実施形態では、プルアップ回路８回路に供給される電圧Ｖの一部を取り出してコンパレータ９の基準電圧とした例を示したが、この実施形態においては、コンパレータ９に供給すべき基準電圧Ｂが新たに設けられ、該基準電圧Ｂとコンパレータ９の負極とが基準電圧線９Ｂによって接続されるようにしたものである。
従って、この実施形態においても、コンパレータ９が音声信号出力部４に流れる電圧の大きさを比較してＬ出力、若しくはＨ出力することで、マイクロプロセッサ１０が判定するので、基本的には前述した各実施形態と同様の作用効果が得られる。
【００２７】
なお、図示実施形態では、表示部１１として、接続時に点灯するようにランプ１２を用いた例を示したが、それと逆にしてもよく、つまり、未接続時にランプを点灯させるように構成してもよいのは勿論であり、またランプ以外の他の手段で接続、未接続を表示させるようにしてもよいのは勿論である。
【００２８】
【発明の効果】
以上説明したように、本発明によれば、オーディオアンプの音声信号出力部に流れる電圧の大きさの変化を接続認識回路によって検出することで、スピーカが接続されているか否かを判定できるように構成したので、スピーカの接続の良否を簡単に認識することができ、接続の良否を確実にチェックすることができ、催事会場に音声再生装置のスピーカをセッティングする場合等には特に有益となる。
【図面の簡単な説明】
【図１】本発明による第１の実施の形態に係る音声再生装置を示す全体図である。
【図２】本発明による第２の実施の形態に係る音声再生装置を示す全体図である。
【図３】制御部の判定結果を表示した状態を示す図である。
【図４】本発明の第３の実施の形態に係る音声再生装置を示している。
【符号の説明】
１　音声信号
３　オーディオアンプ
４　音声信号出力部
６　接続端子
７　スピーカ
８　プルアップ回路
９　コンパレータ
１０　マイクロプロセッサ（制御部）
１１　表示部
１２　ランプ
１３　接続認識回路
【図１】
2004096696.tif 000003
【図２】
2004096696.tif 000004
【図３】
2004096696.tif 000005
【図４】
2004096696.tif 000006